(57)【要約】  光リフレクトメトリを使用してシステムを監視する方法が、第１の光励起信号に応答してシステムから来る第１の光応答信号を受信することであって、前記第１の励起信号が第１の数値シーケンスＡを担持すること、第２の光励起信号に応答してシステムから来る第２の光応答信号を受信することであって、前記第２の励起信号が第２の数値シーケンス１Ａ、Ｂを担持すること、およびシステムの特異点を検出するために前記光応答信号と前記数値シーケンスの間の相関を求めることを含む。第１および第２の励起信号が、波長分割多重化によって別々の搬送波波長λ０、λ１上で光学系内で同時に伝送され、第１および第２の応答信号が、前記別々の搬送波波長上で同時に受信される。
2013524183.tif 000002
【特許請求の範囲】
【請求項１】
光リフレクトメトリを使用してシステム（１５、２０）を監視する方法であって、
第１の光励起信号に応答してシステムから来る第１の光応答信号を受信することであって、前記第１の励起信号が第１の数値シーケンス（Ａ）を担持すること、
第２の光励起信号に応答してシステムから来る第２の光応答信号を受信することであって、前記第２の励起信号が第２の数値シーケンス（１Ａ、１３）を担持すること、および
前記システムの特異点を検出するために前記光応答信号と前記数値シーケンスの間の相関を求めることであって、第１および第２の励起信号が、波長分割多重化によって別々の搬送波波長（Ｉ０、Ｉ１）上で光学系内で同時に伝送され、第１および第２の応答信号が、前記別々の搬送波波長上で同時に受信されること
を含む、方法。
【請求項２】
第１の数値シーケンス（Ａ）および第２の数値シーケンス（｜Ａ、Ｂ）が、１対のバイポーラゴレイシーケンスから抽出された４つのユニポーラシーケンスのセットに属することを特徴とする、請求項１に記載の方法。
【請求項３】
励起信号が、第１の複数の数値シーケンス（Ａ、Ｂ、｜Ａ、｜Ｂ）を順に担持し、第２の励起信号が、前記第１の複数の数値シーケンスの１つの置換に対応する第２の複数の数値シーケンスを順に担持することを特徴とする、請求項１または２に記載の方法。
【請求項４】
第１の数値シーケンス、または第１の複数の数値シーケンスのそれぞれと、第２の数値シーケンス、または第２の複数の数値シーケンスのそれぞれが互いに相補的であることを特徴とする、請求項１から３のいずれか一項に記載の方法。
【請求項５】
前記システムが、ＥＤＦＡ増幅器（２２）を備える光伝送線路（２０）を備えることを特徴とする、請求項１から４のいずれか一項に記載の方法。
【請求項６】
１対のバイポーラゴレイシーケンスを表す４つのユニポーラシーケンスを担持する励起信号が、波長分割多重化によって光学系内で同時に伝送され、４つの対応する応答信号が、別々の搬送波波長（λ０、λ１、λ２、λ３）上で同時に受信されることを特徴とする、請求項１から５のいずれか一項に記載の方法。
【請求項７】
第１の数値シーケンスを担持する第１の励起信号と、第２の数値シーケンスを担持する第２の励起信号とを、監視すべきシステム（１５、２０）内で送信するために、監視すべき前記システムに結合することのできる送信デバイス（１１、３０）と、
第１の光励起信号に応答して、監視するためのシステムから来る第１の光応答信号を受信し、第２の光励起信号に応答して、監視すべきシステムから来る第２の光応答信号を受信するために、監視すべきシステムに結合することのできる受信デバイス（１２、４０、１４０）と、
前記光応答信号と前記数値シーケンスの間の相関を求め、監視すべき前記システムの特異点を検出することのできるデジタル処理モジュールと（４８、１４８）と
を備える光リフレクトメトリ監視装置（１０）であって、
光リフレクトメトリ監視装置内で、送信デバイスが、波長分割多重化によって別々の搬送波波長（λ０、λ１）に沿って光学系内で第１および第２の励起信号を同時に送信することができ、
受信デバイスが、前記別々の搬送波波長上で前記第１および第２の応答信号を同時に受信することができる、光リフレクトメトリ監視装置（１０）。
【請求項８】
送信デバイスが、第１の数値シーケンスおよび第２の数値シーケンスをそれぞれ生成することのできる信号発生器（３１）と、前記別々の搬送波波長上で第１の励起信号および第２の励起信号をそれぞれ引き起こす光源（３２）と、搬送波波長に対する数値シーケンスの割当てを修正するために、光源に信号発生器を再構成可能に接続するスイッチ（３５）とを備える、請求項７に記載の装置。
【請求項９】
送信デバイスが、伝搬媒体内の第１の光励起信号と第２の光励起信号を結合する波長分割マルチプレクサ（３６）を備える、請求項７または８に記載の装置。
【請求項１０】
受信デバイス（４０、１４０）が、第２の応答信号から第１の応答信号を分離する波長デマルチプレクサ（４１、１４１）を備える、請求項７から９のいずれか一項に記載の装置。
【請求項１１】
受信デバイスが、前記別々の搬送波波長上で前記第１および第２の応答信号を受信する第１および第２のコヒーレント二乗受信機（４３、１４３）と、第１および第２の応答信号を格納する第１および第２の格納モジュール（４６、１４６）と、格納モジュールに対する応答信号の割当てを修正するために、格納モジュールに光受信機を再構成可能に接続するスイッチ（４７、１４７）とを備える、請求項７から１０のいずれか一項に記載の装置。
【請求項１２】
受信デバイスのスイッチと送信デバイスのスイッチが互いに合致するように命令するためのコマンドモジュール（５０、３９）をさらに備え、その結果、第１の記憶デバイスが、第１の数値シーケンスに対応する応答信号を排他的に受信し、第２の格納モジュールが、第２の数値シーケンスに対応する応答信号を排他的に受信する、組み合わされた請求項１１および８に記載の装置。
【発明の詳細な説明】
【技術分野】
【０００１】
本発明は、光リフレクトメトリ測定の分野に関し、詳細には、経時的に励起信号と後方散乱信号を相関させることによってシステムの特異点を検出するために、数値シーケンスを担持する光励起信号が測定すべきシステム内で伝送される測定に関する。
【背景技術】
【０００２】
光学系、特に電気通信システムでは、異質性、不連続性、破断、界面、他の屈折率変動などの特異点が光信号の後方散乱に影響を及ぼすので、その位置を光リフレクトメトリによって特定することができる。光時間領域リフレクトメトリ（ＯＴＤＲ）として知られている測定技法は、こうした現象に基づく。ＯＴＤＲ技法の目的は、システムに励起信号を送り、後方散乱応答信号を測定することにより、監視すべきシステムのインパルス応答を推定することである。ディラック分布∂に近づくインパルス励起信号を直接使用して、インパルス応答を測定することができる。しかし、そのような手法は、パワーおよび信号対雑音比の大きな制限を受ける。あるいは、良好な自己相関特性を特徴とする時間拡散励起信号ｓ（ｔ）を送ることによってこの測定を推定することができ、すなわちｓ（ｔ）
【数１】
2013524183.tif 000003
ｓ（ｔ）≒δ（ｔ）である。ただし
【数２】
2013524183.tif 000004
は相関積を表す。この状況でのゴレイシーケンスの使用が、ＷＯ−Ａ−９７２０１９６で説明されている。
【先行技術文献】
【特許文献】
【０００３】
【特許文献１】ＷＯ−Ａ−９７２０１９６
【非特許文献】
【０００４】
【非特許文献１】「Ｒｅａｌ−ｔｉｍｅ  Ｌｏｎｇ  Ｒａｎｇｅ  Ｃｏｍｐｌｅｍｅｎｔａｒｙ  Ｃｏｒｒｅｌａｔｉｏｎ  ｏｐｔｉｃａｌ  Ｔｉｍｅ  Ｄｏｍａｉｎ  Ｒｅｆｌｅｃｔｏｍｅｔｅｒ」、Ｍ．Ｎａｚａｒａｔｈｙ他、Ｊｏｕｒｎａｌ  ｏｆ  Ｌｉｇｈｔｗａｖｅ  Ｔｅｃｈｎｏｌｏｇｙ、Ｖｏｌ．７、Ｎｏ  １、１９８９年１月
【発明の概要】
【課題を解決するための手段】
【０００５】
一実施形態によれば、本発明は、光リフレクトメトリによってシステムを監視する方法であって、
第１の光励起信号に応答してシステムから来る第１の光応答信号を受信するステップであって、前記第１の励起信号が第１の数値シーケンスを担持する、ステップと、
第２の光励起信号に応答してシステムから来る第２の光応答信号を受信するステップであって、前記第２の励起信号が第２の数値シーケンスを担持する、ステップと、
前記システムの特異点を検出するために前記光応答信号と前記数値シーケンスの間の相関を求めるステップであって、第１および第２の励起信号が、波長分割多重化（すなわちＷＤＭ）によって別々の搬送波波長で光学系内で同時に伝送され、前記第１および第２の応答信号が、前記別々の搬送波波長上で同時に受信される、ステップと
からなる方法を提供する。
【０００６】
光応答システムのインパルス応答を様々な精度で推定するために、複数のクラスの数値シーケンス、特に擬似ランダムバイナリシーケンス、双直交シーケンス、ウェーブレット、直交ミラーフィルタ、ならびにバイポーラおよびユニポーラゴレイコードと共にそのような方法を適用することができる。ゴレイコードは、光リフレクトメトリベースの監視で、実質的に完璧な自己相関関数を与えるという利点を示すシーケンスの中で最も一般的に使用されており、システムのインパルス応答を非常に正確に測定することを可能にする。
【０００７】
有利な一実施形態によれば、第１の数値シーケンスおよび第２の数値シーケンスは、１対のバイポーラゴレイシーケンスから抽出された４つのユニポーラシーケンスのセットに属する。別の実施形態によれば、第１の数値シーケンスおよび第２の数値シーケンスは、１対のバイポーラゴレイシーケンスを構成する。
【０００８】
一実施形態によれば、第１の励起信号は、第１の複数の数値シーケンスを順に担持し、第２の励起信号は、前記第１の複数の数値シーケンスの１つの置換に対応する第２の複数の数値シーケンスを順に担持する。搬送波波長に対するそのようなデータの置換は、監視すべきシステム内で生じる可能性のある、波長に依存する物理的効果を平均化することを可能にする。
【０００９】
一実施形態によれば、第１の数値シーケンス、または第１の複数の数値シーケンスのそれぞれと、第２の数値シーケンス、第２の複数の数値シーケンスのそれぞれは互いに相補的である。そのような特性は特に、光励起信号の全パワーを正則化または等化することを可能にする。そのような正則化は、時間的外乱を制限することを可能にするので、光増幅器を備えるシステムで特に有益である。
【００１０】
そのような方法は、様々なタイプのシステムを監視する働きをすることができる。一実施形態によれば、システムは、ＥＤＦＡ増幅器を備える遠距離光伝送線路、例えば海底伝送線路を備える。
【００１１】
そのような方法を任意の数の光励起信号と共に実施することができる。一実施形態によれば、１対のバイポーラゴレイシーケンスを表す４つのユニポーラシーケンスを担持する４つの励起信号が、波長分割多重化光学系内で同時に伝送され、４つの対応する応答信号が、別々の搬送波波長上で同時に受信される。
【００１２】
一実施形態によれば、本発明はまた、
第１の数値シーケンスを担持する第１の励起信号と、第２の数値シーケンスを担持する第２の励起信号とを、監視すべきシステム内で送信するために、監視すべき前記システムに結合することのできる送信デバイスと、
第１の光励起信号に応答して、監視するためのシステムから来る第１の光応答信号を受信し、第２の光励起信号に応答して、監視すべきシステムから来る第２の光応答信号を受信するために、監視すべきシステムに結合することのできる受信デバイスと、
前記光応答信号と前記数値シーケンスの間の相関を求め、監視すべき前記システムの特異点を検出することのできるデジタル処理モジュールと
を備える光リフレクトメトリ監視装置であって、
光リフレクトメトリ監視装置内で、送信デバイスが、波長分割多重化によって別々の搬送波波長に沿って光学系内で第１および第２の励起信号を同時に送信することができ、
受信デバイスが、前記別々の搬送波波長上で前記第１および第２の応答信号を同時に受信することができる光リフレクトメトリ監視装置を提供する。
【００１３】
別の有利な実施形態では、そのような装置は、以下の特徴のうちの１つまたは複数を示すことができる。
−  送信デバイスが、第１の数値シーケンスおよび第２の数値シーケンスをそれぞれ生成することのできる信号発生器と、前記別々の搬送波波長上で第１の励起信号および第２の励起信号をそれぞれ引き起こす光源とを備える。
−  送信デバイスが、搬送波波長に対する数値シーケンスの割当てを修正するために、光源に信号発生器を再構成可能に接続するスイッチを備える。
−  送信デバイスが、伝搬媒体内の第１の光励起信号と第２の光励起信号を結合する波長分割マルチプレクサを備える。
−  受信デバイスが、第２の応答信号から第１の応答信号を分離する波長分割デマルチプレクサを備える。
−  受信デバイスが、前記別々の搬送波波長上で前記第１および第２の応答信号を受信する第１および第２のコヒーレント光受信機を備える。
−  受信デバイスが、前記別々の搬送波波長上で前記第１および第２の応答信号を受信する第１および第２のコヒーレント二乗受信機を備える。
−  受信デバイスが、前記別々の搬送波波長上の前記第１および第２の応答信号間の差分を検出する差分光受信機を備える。
−  受信デバイスが、第１および第２の応答信号をそれぞれ復調することによって得られる数値応答シーケンスを格納する第１および第２の格納モジュールを備える。
−  受信デバイスが、搬送波波長に対する数値シーケンスの割当てを修正するために、格納モジュールに光受信機を再構成可能に接続するスイッチを備える。
−  受信デバイスのスイッチと送信デバイスのスイッチが互いに合致するように命令するためにコマンドモジュールが設けられ、その結果、第１の記憶デバイスが、第１の数値シーケンスに対応する応答信号を排他的に受信し、第２の格納モジュールが、第２の数値シーケンスに対応する応答信号を排他的に受信する。
【００１４】
本発明のいくつかの態様は、可能な限り短い時間間隔でリフレクトメトリ測定値を得ることが必要な環境（例えば、光通信システム内のファイバ破断を修復することができるようにその位置を特定するためにＯＴＤＲ技法が使用されるとき）があるという観察に由来する。本発明のいくつかの態様は、光リフレクトメトリによる長いシステムの応答を求めることが、多数の、かつ／または長いデジタルシーケンスを取得および処理する必要のある可能性があるという観察に由来する。本発明のいくつかの態様は、複数のスペクトル間隔で、例えばＷＤＭグリッドの複数のチャネル上で、好ましくは互いに近い間隔で、または互いに近いチャネル上で複数の後方散乱測定値を同時に取得することによってシステムに対処するリフレクトメトリ測定値の取得を加速するという概念に基づく。本発明のいくつかの態様は、リフレクトメトリ測定値を取得するためにシステムに注入される光パワーが検出信号の信号対雑音比に対する決定的な影響を有するという観察に由来する。本発明のいくつかの態様は、非線形効果が信号を乱す可能性のあるパワーレベルを引き上げるために、複数のスペクトル間隔内でこの光パワーを分散させるという概念に基づく。本発明の別の態様は、光学系、特に遠距離通信システム内に存在することがある光増幅器がおおよそ一定の負荷の存在下で最適に機能するというという観察に由来する。
【００１５】
添付の図面を参照しながら、例示的かつ非限定的な例として与えるに過ぎない本発明の複数の特定の実施形態の以下の説明を検討するときに、本発明をより良く理解し、本発明の他の目的、詳細、特徴、および利点がよりはっきりと明らかとなるであろう。
【図面の簡単な説明】
【００１６】
【図１】増幅光伝送線路に接続された一実施形態による測定アプライアンスの機能概略図である。
【図２】図１のアプライアンス内で使用することができる励起デバイスの一実施形態の機能概略図である。
【図３】図２のデバイスで得ることのできる複数の搬送波波長に対する複数の数値シーケンスの割当てを示す時間−周波数図である。
【図４】図１の装置内で使用することのできる測定デバイスの一実施形態の機能概略図である。
【図５】図１の装置内で使用することのできる測定デバイスの別の実施形態の機能概略図である。
【発明を実施するための形態】
【００１７】
図１を参照すると、光リフレクトメトリ測定装置１０が、その中で測定を取得しなければならないシステム１５に結合される。装置１０は、矢印１３で示されるように、複数の波長チャネル上でシステム１５に光励起信号を注入するためにシステム１５に結合された励起モジュール１１と、矢印１４で示されるように、励起信号に対応する波長チャネル上で後方散乱光信号を受信するためにシステム１５に結合された測定モジュール１２とを備える。パワーカプラまたは任意の他の適切な手段、例えば光サーキュレータによって、システム１５に対するモジュール１１および１２の結合を構築することができる。
【００１８】
システム１５は、任意の光学系、特に受動光ネットワークやそのようなシステムの一部などの光通信システムを備えることができる。この文書の残りの部分では、その中でシステム１５が図６に部分的に示される双方向増幅ＷＤＭ伝送線路２０から構成される一実施形態がより詳細に説明される。１０００から１０，０００ｋｍ以上の海底リンクなどの超遠距離伝送のために双方向線路２０を使用することができる。
【００１９】
双方向線路２０は、逆方向の２つの単方向伝送線路２８および２９を備える。線路２８および２９のそれぞれは、概略的には、送信信号、例えばＥＤＦＡ信号を再増幅するために光増幅器２２によって接続される光ファイバセグメント２１の連続である。２つの連続する増幅器間の距離は、例えば５０から１００ｋｍの間である。後方散乱信号のためのリターンパスを生み出すために、光ブリッジ２６が、知られている技法を使用して２つの線路２８と２９の間に配置される。図示される例では、光ブリッジ２６は、線路２８から後方散乱信号を取るパワーカプラ２３、および線路２９内にその信号を再注入するパワーカプラ２５、ならびにこれらのパワーカプラ間に配置された光減衰器２４を備える。同様のブリッジを逆方向にも設けることができる。伝送線路２０は、ＷＤＭ光伝送の知られている技法を使用して、色分散補償器などの図示されていない多数の他の要素を備えることができる。
【００２０】
一実施形態では、励起モジュール１１は、図２に示される励起デバイス３０を備える。デバイス３０は、時間領域リフレクトメトリ測定に適した数値シーケンスを生成する信号発生器３１と、別々の搬送波波長λ０からλ３を介して変調される光信号を生成する光源３２と、ジェネレータ３１の数値シーケンスから生成されたベースバンド信号３４と共にソース３２をそれぞれのときに供給するＤ−Ａ変換器３３とを備える。搬送波波長に対する数値シーケンスの割当てを修正することを可能にするために、電子スイッチ３５が、信号発生器３１と変換器３３の間に配置される。コマンドモジュール３９が、例えば図示されていないメモリにロードされた制御プログラムに基づいて、または図示されていないヒューマンマシンインターフェースから供給される命令に基づいて、スイッチ３５に指令するために使用される。導波路３８内で変調光信号を結合するために、光源３２がマルチプレクサ３６に接続され、導波路３８が、光増幅器３７によって伝送線路２８に接続される。
【００２１】
一実施形態では、信号発生器３１は、４つのユニポーラ構成要素Ａ、｜Ａ、Ｂ、および｜Ｂをそれぞれ生成し、１対のバイポーラゴレイシーケンス（ＧＡ，ＧＢ）を生成することを可能にし、すなわちＡ＝１／２（１＋ＧＡ）、｜Ａ＝１／２（１−ＧＡ）、Ｂ＝１／２（１＋ＧＢ）、｜Ｂ＝１／２（１−ＧＢ）である。
【００２２】
シーケンスＡおよび｜Ａ、またはＢおよび｜Ｂはそれぞれ、その和が一定値信号であるという意味で相補的と言われる。例えば、シーケンスの長さは、約２２から２１５ビットでよい。
【００２３】
したがって、動作のとき、デバイス３０は、４つの搬送波波長λ０からλ３を介して４つのユニポーラシーケンスを同時に送信することを可能にする。これらの光励起信号は、例えば、ＮＲＺコードによって約１００ｋＨｚのレートで振幅変調される。そのような同時送信のいくつかの利点は、線路２０の増幅器２２についておよそ一定の光パワーを生成すること、および様々なユニポーラシーケンスに対応する線路２０から応答を同時に取得することを可能にすることである。この点が、次に図４を参照しながら示される。
【００２４】
一実施形態では、測定モジュール１２は、図４に示される測定デバイス４０を備える。デバイス４０は、励起デバイス３０によって送信される励起信号に応答して線路２０によって後方散乱される応答信号を受信するために、例えば光増幅器４２によって伝送線路２９に接続された波長デマルチプレクサ４１を備える。応答信号は通常、励起信号と同一の波長である。波長マルチプレクサ４１の出力は、それぞれ光検出器４３、例えばフォトダイオードに接続される。デマルチプレクサ４１は、搬送波波長λ０からλ３のそれぞれの上で応答信号を分離し、それぞれの検出器を通過して、それらを別々に検出することを可能にする。各検出器４３は、電子増幅器４５などによってＡ−Ｄ変換器４４に接続される。各Ａ−Ｄ変換器４４は、対応する波長上の応答信号をサンプリングした結果として得られる信号を、ＦＩＦＯメモリなどのバッファメモリ４６に供給することを可能にする。バッファメモリ４６に対する応答信号の割当てを修正することを可能にするために、電子スイッチ４７が、コンバータ４４とバッファメモリ４６の間に配置される。コマンドモジュール５０が、例えば図示されていないメモリにロードされた制御プログラムに基づいて、または図示されていないヒューマンマシンインターフェースから供給される命令に基づいて、スイッチ４７に指令するために使用される。
【００２５】
計算器４８が、調査中のシステム１５のインパルス応答を求め、かつ／または特異点、例えば伝送線路２０の破断ゾーンの位置を特定するために、サンプリングされた応答信号と当初送信された数値シーケンスとの間の時間計算相関を作成する。そのように行うために、計算器４８が、矢印４９で示されるように、数値シーケンスを受信するために信号発生器３１に接続され、応答信号ｒＡ、ｒ｜Ａ、ｒＢ、ｒ｜Ｂにアクセスするためにバッファメモリ４６に接続される。図４では、ｒＡは、シーケンスＡを担持する励起信号に対応する応答信号であると言われる。こうした計算の数学的基礎が、「Ｒｅａｌ−ｔｉｍｅ  Ｌｏｎｇ  Ｒａｎｇｅ  Ｃｏｍｐｌｅｍｅｎｔａｒｙ  Ｃｏｒｒｅｌａｔｉｏｎ  ｏｐｔｉｃａｌ  Ｔｉｍｅ  Ｄｏｍａｉｎ  Ｒｅｆｌｅｃｔｏｍｅｔｅｒ」、Ｍ．Ｎａｚａｒａｔｈｙ他、Ｊｏｕｒｎａｌ  ｏｆ  Ｌｉｇｈｔｗａｖｅ  Ｔｅｃｈｎｏｌｏｇｙ、Ｖｏｌ．７、Ｎｏ  １、１９８９年１月で説明されている。
【００２６】
好ましくは、これらの計算は、応答信号の取得中に、特に信号の取得時間間隔が長いときに実施される。例えば、満足の行く信号対雑音比で海底伝送線路のインパルス応答を推定するために、数日間続く取得時間間隔が必要であることがある。しかし、複数の応答信号を取得するための複数の波長チャネルの同時使用は、同じ持続時間中の単一の励起信号に基づく測定に関連して、信号対雑音比を√Ｎ倍に改善することを可能にする。ただしＮは、同時に取得される信号数を表す。したがって、Ｎ＝４である図４では、信号対雑音比で３ｄＢの利得が得られる。したがって、光リフレクトメトリでのこの波長分割多重化の使用は、検出の収束持続時間とその精度の間の比の改善を生み出す。
【００２７】
計算器４８は、数値、テキストベース、またはグラフィックなどの適切な形態でユーザに計算結果を示すために、モニタ、プリンタ、および／または通信モジュールなどの様々な周辺機器１７を備えることができる。こうした結果を記録するために記憶デバイス１８を設けることもできる。
【００２８】
デバイス３０および４０がどちらも装置１０内に含まれる一実施形態では、コマンドモジュール３９および５０を互いに併合することができる。具体的には、異なる搬送波波長で異なる数値シーケンスの置換を編成するために、リフレクトメトリ測定値の取得中に、スイッチ３５および４７を互いに合致するように切り換えることができる。そのような置換が図３に示されている。
【００２９】
図３は、装置１０の一実施形態の助けを受けた線路２０を監視するキャンペーンに対応する時間尺度での、様々な搬送波波長上で伝送される様々な数値シーケンスを表す。リフレクトメトリ測定値の取得中に、時刻ｔ１、ｔ２、ｔ３、ｔ４などで、例えば周期的に数値シーケンスが置換される。試験されるシステム内の信号の減衰レベル、および使用される数値シーケンスの長さに応じて、使用可能な信号対雑音比を得るために、この方式に従って、多数の連続する測定を循環式に反復することが必要であることがある。この置換方式では、すべてのシーケンスが相補的シーケンスと共に同時に送信され、それが、ほぼ不変の増幅器２２負荷を得ることを可能にする。他の置換方式は、同様の結果を達成することを可能にする。
【００３０】
スイッチ３５および４７以外の他の手段を設けて、異なる搬送波波長上で本発明の数値シーケンスの置換を実施することができる。そのような置換は、波長に依存する物理的ひずみを、その効果を平滑化するために様々な数値シーケンスにわたって分散することを可能にする。しかし、この置換は不可欠ではない。一実施形態では、全体的測定キャンペーンを、時刻０からｔ１の間で提示されるシーケンスの割当てと共に実施することができる。
【００３１】
さらに、図２から４上で示される４つの波長チャネルの使用は、例示のためのものである。別の実施形態では、より少数または多数のチャネルを使用して、励起信号を注入し、応答信号を取得することができる。さらに、図３の線λ０およびλ１だけは、２つのチャネルで進める方法を示す。
【００３２】
スペクトル内で同時に使用される波長チャネルの位置は、任意の位置でよい。しかし、このようにして得られるシステムのインパルス応答測定は、励起信号によってカバーされるスペクトル間隔に関する平均を表す。したがって、この測定は、色分散などの波長に対するシステムの特性の一部の感度によって中断されることがある。したがって、こうした中断を制限し、ファイバの物理的挙動がほとんど変動がないことを特徴とするスペクトルバンド内でより意味のある測定を得るために、標準グリッドベースの５０または１００ＧＨｚ離れた隣接するチャネルなどの比較的接近した波長チャネルを選ぶことが好ましいことがある。しかし、励起信号の変調速度が中程度、例えば約１００ｋｂ／ｓのままである場合、有効色分散が限定される。
【００３３】
図５に、測定モジュール１２として使用することのできる測定デバイス１４０の別の実施形態を示す。図４と同一または類似の要素は、同じ参照番号に１００を加えたもので示される。ここで、波長λ０およびλ１ならびにλ２およびλ３でそれぞれ検出される応答信号が、偏差信号を生成する差動増幅器１４５に入力される。したがって、シーケンスＡがλ０上で伝送され、シーケンス｜Ａがλ１上で伝送され、またはシーケンスＢがλ２上で、シーケンス｜Ｂがλ３上でそれぞれ伝送される場合、この偏差信号は、それぞれバイポーラシーケンスＧＡまたはＧＢに対するシステムの応答を直接的に表し、信号処理の残りの部分でそのようなものとして処理することができる。その結果は、変換器１４４およびメモリ１４６内のハードウェア節約となる。
【００３４】
一変形形態では、測定モジュール１２でコヒーレント光受信機を使用することができる。
【００３５】
上記の実施形態は、ゴレイシーケンスに言及しているが、他の数値シーケンス、例えば直交ミラーフィルタ（ＱＭＦ）または他の直交ウェーブレットが、システムのインパルス応答を完全に再構築することを可能にする同様の特性を提供し、励起信号を生成するための同じ方法で使用することができる。
【００３６】
図示される要素の一部、特にコマンドモジュールおよびデジタル処理モジュールを、ハードウェアおよび／またはソフトウェア構成要素を使用して、様々な形態で、スタンドアロンで、または分散型で構築することができる。使用することのできるハードウェア構成要素は、特定用途向け集積回路、フィールドプログラマブルゲートアレイ、またはマイクロプロセッサである。Ｃ、Ｃ＋＋、Ｊａｖａ（登録商標）、ＶＨＤＬなどの様々なプログラミング言語でソフトウェアコンポーネントを書くことができる。このリストは網羅的なものではない。
【００３７】
複数の特定の実施形態に関連して本発明が説明されたが、当然ながら本発明はいかなる形でもそれらに限定されず、説明された手段のすべての技術的均等物、ならびにその組合せが本発明の範囲内に包含される場合は前記組合せを含む。
【００３８】
「備える」または「含む」という動詞およびその活用形の使用は、請求項に記載の要素またはステップ以外の要素またはステップの存在を除外しない。要素またはステップに関する不定冠詞「ａ」または「ａｎ」の使用は、別段の記述がない限り、複数のそのような要素またはステップの存在を除外しない。複数の手段またはモジュールが単一のハードウェア要素によって示されることがある。
【００３９】
特許請求の範囲では、括弧内の何らかの参照符号が請求項を限定すると解釈されるべきではない。
【図１】
2013524183.tif 000005
【図２】
2013524183.tif 000006
【図３】
2013524183.tif 000007
【図４】
2013524183.tif 000008
【図５】
2013524183.tif 000009
【図６】
2013524183.tif 000010
【国際調査報告】
2013524183.tif 000011
2013524183.tif 000012
2013524183.tif 000013